(57)【特許請求の範囲】
【請求項１】
本体吸込口と、
該本体吸込口と連通する集塵室と、
該集塵室に着脱自在に収容された集塵ボックスと、
電動送風機吸込口を介して前記集塵室と連通し、吸気風を発生する電動送風機を収納する電動送風機室と、
を備えた電気掃除機において、
前記集塵ボックスは、前記本体吸込口と対向する位置に集塵ボックス吸込口が形成され、前記電動送風機吸込口と対向する位置に集塵ボックス排気口が形成された気密性を有する箱体形状からなり、
前記集塵ボックスの内部には、前記集塵ボックス吸込口から吸引された塵埃を捕集する集塵袋が着脱自在に装着可能であり、
前記本体吸込口、前記集塵ボックス及び前記電動送風機室は気密性を有する一連の風路を形成し、
前記集塵ボックスには、前記集塵ボックス排気口が形成された面と隣接する面のうち少なくとも１面の内壁に突起部が設けられ、
前記集塵ボックスは、
前記集塵ボックスが前記集塵室に収容されている状態においては前記集塵ボックス吸込口を開き、前記集塵ボックスが前記集塵室に収容されていない状態においては前記集塵ボックス吸込口を閉じる塵漏れ防止シャッター部と、
回動自在に設けられ、前記集塵袋が前記集塵ボックス内部に装着されている状態では、一端が前記集塵袋と前記集塵ボックスとに挟持される塵漏れ防止シャッターストッパー部と、
を有し、
該塵漏れ防止シャッターストッパー部の他端は、
前記集塵袋が前記集塵ボックス内部に装着されていない状態においては、前記塵漏れ防止シャッター部の可動範囲内に位置し、
前記集塵袋が前記集塵ボックス内部に装着されている状態においては、前記塵漏れ防止シャッターストッパー部の一端が前記集塵袋と前記集塵ボックスとに挟持されて、前記塵漏れ防止シャッター部の可動範囲外に移動することを特徴とする電気掃除機。
【請求項２】
前記集塵ボックス全面の内壁に前記突起部が設けられていることを特徴とする請求項１に記載の電気掃除機。
【請求項３】
前記集塵ボックスは、
前記集塵ボックス排気口が形成された面に、前記集塵ボックスを前記集塵室に収容する際のガイドとなる凹部が設けられ、
前記集塵ボックス排気口が形成された面には、該凹部以外の箇所に前記突起部が設けられたことを特徴とする請求項１または請求項２に記載の電気掃除機。
【請求項４】
前記突起部が設けられている面には、
前記突起部が複数設けられていることを特徴とする請求項１〜請求項３のいずれかに記載の電気掃除機。
【請求項５】
前記突起部は、突条またはリブであることを特徴とする請求項１〜請求項４のいずれかに記載の電気掃除機。
【請求項６】
前記突条または前記リブに吸気風を通過させるための通気部を設けたことを特徴とする請求項５に記載の電気掃除機。
【請求項７】
前記突条または前記リブに前記通気部を複数設けたことを特徴とする請求項６に記載の電気掃除機。
【請求項８】
隣接する前記突条または前記リブに設けられた前記通気部の位置が互い違いになるようにしたことを特徴とする請求項６または請求項７に記載の電気掃除機。
【請求項９】
前記通気部は、凹欠部及び開口部の少なくとも一方であることを特徴とする請求項６〜請求項８のいずれかに記載の電気掃除機。
【請求項１０】
前記塵漏れ防止シャッターストッパー部は、
前記集塵袋が前記集塵ボックスから外れる方向に付勢されていることを特徴とする請求項１〜請求項９のいずれかに記載の電気掃除機。
【請求項１１】
前記集塵ボックスは、前記集塵袋の装着を解除する集塵袋解除ボタン部を有し、
該集塵袋解除ボタンは突起を備え、
前記集塵袋解除ボタンは、
前記塵漏れ防止シャッター部が前記集塵ボックス吸込口を開いている状態で押すと、前記突起と前記塵漏れ防止シャッター部が干渉し、
前記集塵袋の装着を解除出来ないことを特徴とする請求項１〜請求項１０のいずれかに記載の電気掃除機。
【発明の詳細な説明】
【技術分野】
【０００１】
本発明は電気掃除機に係り、より詳しくは、集塵ボックスを備えた電気掃除機に関するものである。
【背景技術】
【０００２】
従来の電気掃除機としては、例えば「掃除機本体１０は、外郭を形成する上方開口した下カバー１１と、下カバー１１の前方に配され塵埃を捕集する集塵手段１２を収納する集塵室１３と、下カバー１１の後方に配され吸引風を発生する電動送風機１４を収納する電動送風機室１５を備え、前記電動送風機室１５の上方は上カバー１６で覆われ、また前記集塵室１３の上方は、前記上カバー１６に回動自在に軸支され開閉自在の蓋体１８によって覆い被されるようになっている。集塵手段１２は、硬質材で形成された固定部１２ａと、紙や布等の軟質材で形成され、通風性を有し、かつ袋状に形成された集塵部１２ｂから構成されている。前記集塵室１３の前方には逆止弁２２を保持した前壁２１が形成され、その集塵室１３側下方には断面が略Ｌ字状の保持リブ４５をコの字状に設けている。また、その上方には、バネ４６で付勢されると共に、回動自在に軸支された固定部押さえ４７が配設されており、これらは前記集塵手段１２を収納するための保持手段として構成されるものである。その収納構成は、以下の通りである。集塵手段１２は、装着部であるバスケット２３に装着され、その後バスケット２３ごと集塵室１３に装着され、集塵手段１２の固定部１２ａの上端枠に固定部押さえ４７を回動させて引っ掛けて保持すると共に、収納を行うものである。その際前記固定部１２ａは、逆止弁２２と密着した状態で保持され、塵埃を捕集する集塵手段１２と集塵室１３とのエアタイトが確立し、ゴミもれ対策が行えるようになっている。」（例えば特許文献１参照）というものが提案されている。
【０００３】
【特許文献１】特開２００６−６６１１号公報（段落番号００１６〜００１９、図１，２）
【発明の開示】
【発明が解決しようとする課題】
【０００４】
一般に、集塵袋による集塵形態の電気掃除機においては、通気性を有する紙等の濾材からなり塵埃等を捕集する袋状体（集塵袋）と、塵埃吸込み口を有し厚紙等で形成されて袋状体に取付けられた台紙とからなる集塵袋が用いられる。この集塵袋は直接、または通気性のあるバスケット等を介して集塵室内の吸入口に装着される。集塵室は、その上部に設けられた蓋体によって内部の気密性が保たれ、電動送風機によって吸引された塵埃等を集塵袋で捕集する。
【０００５】
このように構成された電気掃除機においては、集塵袋の装着ミスがあった場合、集塵室内に塵埃が漏れ出し、集塵室内が汚れてしまうことがあった。電動送風機によって吸引された塵埃等の多くは集塵袋で捕集されるものの、一部の細かい塵埃は集塵袋を通過してしまい集塵室内が汚れてしまうことがあった。また、ゴミ詰まり等によって集塵室内の圧力が上昇し、集塵袋が破損した場合にも、集塵室が汚れてしまうことがあった。しかしながら、従来の集塵袋による集塵形態の電気掃除機では、上述のように集塵室が汚れてしまった場合に、集塵室の清掃が困難であるという問題があった。
【０００６】
本発明は上述のような課題を解消するためになされたものであり、集塵室が汚れることのない電気掃除機を得ることを目的とする。
【課題を解決するための手段】
【０００７】
本発明に係る電気掃除機は、本体吸込口と、該本体吸込口と連通する集塵室と、該集塵室に着脱自在に収容された集塵ボックスと、電動送風機吸込口を介して前記集塵室と連通し、吸気風を発生する電動送風機を収納する電動送風機室とを備えた電気掃除機において、前記集塵ボックスは、前記本体吸込口と対向する位置に集塵ボックス吸込口が形成され、前記電動送風機吸込口と対向する位置に集塵ボックス排気口が形成された気密性を有する箱体形状からなり、前記集塵ボックスの内部には、前記集塵ボックス吸込口から吸引された塵埃を捕集する集塵袋が着脱自在に装着可能であり、前記本体吸込口、前記集塵ボックス及び前記電動送風機室は気密性を有する一連の風路を形成し、前記集塵ボックスには、前記集塵ボックス排気口が形成された面と隣接する面のうち少なくとも１面の内壁に突起部が設けられ、前記集塵ボックスは、前記集塵ボックスが前記集塵室に収容されている状態においては前記集塵ボックス吸込口を開き、前記集塵ボックスが前記集塵室に収容されていない状態においては前記集塵ボックス吸込口を閉じる塵漏れ防止シャッター部と、回動自在に設けられ、前記集塵袋が前記集塵ボックス内部に装着されている状態では、一端が前記集塵袋と前記集塵ボックスとに挟持される塵漏れ防止シャッターストッパー部と、を有し、該塵漏れ防止シャッターストッパー部の他端は、前記集塵袋が前記集塵ボックス内部に装着されていない状態においては、前記塵漏れ防止シャッター部の可動範囲内に位置し、前記集塵袋が前記集塵ボックス内部に装着されている状態においては、前記塵漏れ防止シャッターストッパー部の一端が前記集塵袋と前記集塵ボックスとに挟持されて、前記塵漏れ防止シャッター部の可動範囲外に移動するものである。
【発明の効果】
【０００８】
本発明においては、集塵袋を気密性を有する集塵ボックス内に設け、本体吸込口、集塵ボックス及び電動送風機室を気密性を有する一連の風路に形成したので、集塵室が汚れることのない電気掃除機を得ることができる。また、集塵ボックスは着脱自在に集塵室内に設けられているので、集塵ボックス内が塵埃等で汚れてしまった場合でも集塵ボックスを容易に洗浄できる。さらに、集塵ボックスには、集塵ボックス排気口が形成された面と接する面のうち少なくとも１面の内壁に突起部が設けられているので、集塵ボックス内で集塵袋が膨張しても吸気風の風路が確保でき、集塵袋を気密性のある集塵ボックス内に装着したときに懸念される吸引力の低下を防止することができる。さらに、集塵ボックスは、集塵ボックスが集塵室に収容されている状態においては集塵ボックス吸込口を開き、集塵ボックスが集塵室に収容されていない状態においては集塵ボックス吸込口を閉じる塵漏れ防止シャッター部と、回動自在に設けられ、集塵袋が集塵ボックス内部に装着されている状態では、一端が集塵袋と集塵ボックスとに挟持される塵漏れ防止シャッターストッパー部と、を有し、塵漏れ防止シャッターストッパー部の他端は、集塵袋が集塵ボックス内部に装着されていない状態においては、塵漏れ防止シャッター部の可動範囲内に位置し、集塵袋が集塵ボックス内部に装着されている状態においては、塵漏れ防止シャッターストッパー部の一端が集塵袋と集塵ボックスとに挟持されて、塵漏れ防止シャッター部の可動範囲外に移動する。このため、集塵ボックス内に集塵袋が装着されていない状態においては、塵漏れ防止シャッターストッパー部の他端は塵漏れ防止シャッター部の可動範囲内に配置されているので、塵漏れ防止シャッター部は集塵ボックス吸込口を開ききれず（つまり、集塵室へ集塵ボックスを収容できず）、早期の段階で集塵ボックス内への集塵袋の装着忘れに気付くことができる。したがって、集塵ボックス内への集塵袋の装着を忘れることがなく、安心して安全かつ清潔に電気掃除機を使用することができる。
【発明を実施するための最良の形態】
【０００９】
図１は、本発明の実施の形態に係る電気掃除機の全体構成を示す斜視図である。
後述の集塵ボックス２１や電動送風機７２などを内蔵した掃除機本体１の前面側に設けた吸込み口には、蛇腹状のホース９１の一端が着脱可能に接続されており、ホース９１の他端には手元操作スイッチ９２を有する手元グリップ９３が設けられている。そして、手元グリップ９３には伸縮自在の延長管９４の一端が着脱可能に接続されており、延長管９４の他端には吸込口本体９５が着脱可能に接続されている。
【００１０】
図２はこの掃除機本体１の斜視図、図３は図２の上蓋５が閉じた状態の側面図、図４は図２の上蓋５が開いた状態の側面図、図５は図３の縦断面図、図６は図４の集塵ボックス２１が集塵室２０に収容されていない状態の斜視図、及び図７は図５のＡ−Ａ断面図である。
掃除機本体１は、円筒状の上ケース３及び有底円筒状の下ケース４からなる本体部２と、上面がゆるやかな円弧状に形成された上蓋５とからなり、上蓋５の後部側はヒンジ６（図示せず）を介して本体部２に連結され、本体部２の上面開口部を開閉する。上蓋５の前部側には上蓋５をロックするラッチのボタン７が設けられている。
【００１１】
本体部２の前面側にはハンドル部材１０が本体部２と一体的に設けられており、本体吸込口８に連通するホース接続口１１、及びその両側から斜め上方に延設された門型のハンドル１２から構成されている。本体部２の後面側には延設部１３が本体部２と一体的に設けられており、その後部上面側には本体排気口１４が設けられている。１５はコードリール８０（図５）に巻かれたコード（図にはプラグが示してある）、１６は本体部２の底面に設けた複数の車輪である。
【００１２】
本体部２の内部には、略中央部に設けられた隔壁１７によって、前面側の集塵室２０と後面側の電動送風機室７０とが形成されている。集塵室２０は本体吸込口８と連通しており、内部には着脱可能に集塵ボックス２１が収容されている。隔壁１７には、集塵室側に突出した略円筒形状の電動送風機吸込口７１が形成されている。電動送風機室７０は、前面側は電動送風機吸込口７１を介して集塵室２０と連通しており、後面側は本体排気口１４と連通している。電動送風機室７０の内部には電動送風機７２が設けられており、上部は上蓋５の内壁にほぼ対応した形状の上カバー７３によって覆われている。
【００１３】
図８は本発明の実施の形態に係る集塵ボックス２１の集塵ボックス蓋部２３が閉じられた状態の前面側斜視図、図９はこの集塵ボックス２１の集塵ボックス蓋部２３が閉じられた状態の後面側斜視図、及び図１０はこの集塵ボックス２１の集塵ボックス蓋部２３が開かれた状態の後面側斜視図である。
【００１４】
集塵ボックス２１は、集塵ボックス本体部２２、集塵ボックス蓋部２３、ハンドル部２４、塵漏れ防止シャッター部４０、塵漏れ防止シャッターストッパー部５０、及び集塵袋解除ボタン部６０等から構成されている。集塵ボックス本体部２２は後部が開口した略箱体形状をしており、前面部から側面部にかけては、集塵室２０の前面側内壁にほぼ対応した形状となっている。この前面部には、集塵ボックス２１を集塵室２０に収納した状態において本体吸込口８と対向する位置に略円形状の集塵ボックス吸込口２５が形成されている。集塵ボックス本体部２２の上部には、集塵室２０から集塵ボックス２１を着脱する際に使用するハンドル部２４が、ヒンジ２４ａを介して回動自在に設けられている。また、上部には集塵ボックス本体部２２と集塵ボックス蓋部２３とを開閉する際に使用する開閉ボタン３２が設けられている。
【００１５】
集塵ボックス蓋部２３は前部が開口した略箱体形状をしており、後面部には電動送風機吸込口７１の直径よりも若干広い凹部２６が縦方向に設けられている。この凹部２６は、集塵ボックス２１を集塵室２０内に収容する際のガイドの機能を果たし、本体吸込口８と集塵ボックス吸込口２５との位置決め、及び集塵ボックス排気口２７との位置決めを容易にしている（図７）。この凹部２６には、集塵ボックス２１を集塵室２０に収納した状態において電動送風機吸込口７１と対向する位置に集塵ボックス排気口２７が形成されており、この集塵ボックス排気口２７を覆うようにフィルター２８が集塵ボックス蓋部２３の凹部２６内壁に設けられている。集塵ボックス蓋部２３は、集塵ボックス本体部２２と下部においてヒンジ２９において連結されており、開閉自在となっている。また、集塵ボックス蓋部２３の開口部と集塵ボックス本体部２２の開口部とはほぼ同形状となっており、集塵ボックス蓋部２３の開口部にはパッキン（図示せず）が設けられているので、集塵ボックス蓋部２３を閉じた状態では集塵ボックス２１内の気密性が保たれる構造となっている。
【００１６】
集塵ボックス２１の内壁、つまり集塵ボックス本体部２２と集塵ボックス蓋部２３の内壁には、突条３０及びリブ３１が設けられている。この突条３０及びリブ３１が本発明における突起部に相当する。集塵ボックス本体部２２は、両側面部から前面部へかけての内壁に、横方向へ延びる突条３０が設けられている。また、下面部内壁に前後方向に延びるリブ３１ａが設けられている。集塵ボックス蓋部２３は、後面部の凹部２６以外の箇所に横方向に延びるリブ３１ｂが設けられており、このリブ３１ｂには略中央部に切り欠き３１ｃが設けられている。この切り欠き３１ｃが、本発明の通気部であり、凹欠部に相当する。また、凹部２６に設けられているフィルター２８は、フィルターカバー２８ａに保持されており、このフィルターカバー２８ａにも、格子状のリブ２８ｂが設けられている。
【００１７】
塵漏れ防止シャッター部４０は、塵漏れ防止シャッター４１及び塵漏れ防止シャッター用ヒンジ４２から構成されている。塵漏れ防止シャッター４１は集塵ボックス吸込口２５よりもわずかに大きい略円形状をしており、外周には舌片４１ａが形成されている。この舌片４１ａが集塵ボックス吸込口２５の上部に設けられた塵漏れ防止シャッター用ヒンジ４２により軸着されている。
【００１８】
塵漏れ防止シャッター用ヒンジ４２及び後述する集塵袋解除ボタン部６０は塵漏れ防止シャッター４１のストッパーとしての機能も有しており、塵漏れ防止シャッター４１を時計の時針に見立てた場合、塵漏れ防止シャッター４１は、集塵ボックス２１の正面からみて約３時の位置（集塵袋解除ボタン部６０がストッパーとして機能している状態であり、図８に示す塵漏れ防止シャッター４１の位置）と、約６時の位置（塵漏れ防止シャッター用ヒンジ４２がストッパーとして機能している状態であり、塵漏れ防止シャッター４１が集塵ボックス吸込口２５を閉塞する位置）との間を回動自在となっている。また、塵漏れ防止シャッター４１は、塵漏れ防止シャッター用ヒンジ４２内部に設けられた例えばバネ等（図示せず）により、塵漏れ防止シャッター４１が集塵ボックス吸込口２５を閉塞する位置（６時の位置）に付勢されている。
【００１９】
図１１は本発明の実施の形態に係る塵漏れ防止シャッターストッパー部５０の前面右側からの要部分解斜視図である。図１２はこの塵漏れ防止シャッターストッパー部５０の要部拡大図であり、（ａ）は正面図、（ｂ）は右側面図である。図１３は本発明の実施の形態に係る集塵ボックス蓋部２３が開かれた状態の後面側斜視図である。また、図１４は、図１３の縦断面図である。なお、図１１及び図１２は説明を容易とするため、集塵ボックス本体部２２の前面部の一部または前部を透過した状態で塵漏れ防止シャッターストッパー部５０を図示している。以下、図８とこれら図１１〜図１２を用いて塵漏れ防止シャッターストッパー部５０について説明する。
【００２０】
図８に示すように、塵漏れ防止シャッターストッパー部５０は集塵ボックス本体部２２の前面部で、集塵ボックス吸込口２５の右側に形成された凹部２２ａに設けられている。この塵漏れ防止シャッターストッパー部５０は、図１１〜図１４に示すように、集塵袋１００の台紙受けレバー５１、スペーサ５２、塵漏れ防止シャッターストッパー５３及びねじりバネ５４から構成されている。
【００２１】
台紙受けレバー５１は、平板部５１ａの一方の面に舌片５１ｂが形成され、他方の面に軸５１ｃが形成された形状となっている。この軸５１ｃは、集塵ボックス本体部２２の前面部から凹部２２ａにかけて形成されている平面部２２ｂに設けられた孔２２ｃに挿入されている。このとき、舌片５１ｂは集塵ボックス吸込口の方向に位置し、集塵袋１００が集塵ボックスに装着された際には、集塵ボックス本体部２２の前面内壁と集塵袋１００の台紙１０１との間に挟持されることとなる。
【００２２】
スペーサ５２は略円板形状をしており、一方の面には凸部５２ａが形成され、他方の面には凹部が形成されている。また、略中心部には孔５２ｂが形成されている。スペーサ５２は、孔５２ｂに台紙受けレバー５１の軸５１ｃが挿入され、平面部２２ｂの孔２２ｃ周囲に設けられた凸部がスペーサ５２の凹部に嵌入されている。
【００２３】
塵漏れ防止シャッターストッパー５３は、平板部５３ａの端部に平板部５３ａと略垂直な突片５３ｂが形成された形状となっている。また、平板部５３ａには孔５３ｃが形成されている。この塵漏れ防止シャッターストッパー５３は、孔５３ｃを介して台紙受けレバー５１の軸５１ｃの先端部に、例えばネジ固定されている。このとき、突片５３ｂは、集塵ボックス本体部２２の前面部と略平行に、集塵ボックス吸込口２５の方向に突出している。
【００２４】
スペーサ５２と塵漏れ防止シャッターストッパー５３との間には、スペーサ５２の凸部５２ａが挿入されてねじりバネ５４が設けられている。このねじりバネ５４の一端はスペーサ５２に固定され、他端は塵漏れ防止シャッターストッパー５３に固定されている。このねじりバネ５４によって、塵漏れ防止シャッターストッパー５３は図１２（ｂ）における反時計回り方向に付勢されている。つまり、塵漏れ防止シャッターストッパー部５０は、台紙受けレバー５１及び塵漏れ防止シャッターストッパー５３が平面部２２ｂの孔２２ｃ及びスペーサ５２の孔５２ｂによって回動自在に支持され、図１３及び図１４に示すように、台紙受けレバー５１は、その舌片５１ｂが集塵袋１００を外す方向に付勢されている。
【００２５】
図１５は本発明の実施の形態に係る集塵ボックス２１の集塵袋１００が装着されていない状態の正面図であり、図１６は図１５の右側面図である。図１５及び図１６に示すように、塵漏れ防止シャッターストッパー５３はねじりバネ５４によって図１６（図１２（ｂ））における反時計回り方向に付勢されているので、塵漏れ防止シャッターストッパー５３は、台紙受けレバー５１の軸５１ｃを中心として図１６における反時計回りに回転し、塵漏れ防止シャッターストッパー５３の突片５３ｂが集塵ボックス本体部２２の前面部と接した位置で停止している。このとき、図１５に示すように、突片５３ｂは塵漏れ防止シャッター４１の可動範囲内に配置されているので、塵漏れ防止シャッター４１は集塵ボックス吸込口２５を開ききれない状態となる。
【００２６】
集塵ボックス２１に集塵袋１００が装着されてる状態では、塵漏れ防止シャッターストッパー５３は、台紙受けレバー５１の軸５１ｃを中心として図１６（図１２（ｂ））における時計回りに回転し、塵漏れ防止シャッターストッパー５３の突片５３ｂは図１２（ａ）に示す位置で停止する。このとき、突片５３ｂは塵漏れ防止シャッター４１の可動範囲外に配置されているので、塵漏れ防止シャッター４１は集塵ボックス吸込口２５を開放できる状態となる。
【００２７】
図１７は、本発明の実施の形態に係る集塵袋解除ボタン部６０の集塵ボックス前面側から見た要部拡大図である。図１８は、この集塵袋解除ボタン部６０の左側面断面図である。また、図１９は、この集塵袋解除ボタン部６０の背面図である。以下、図８とこれら図１７〜図１９を用いて集塵袋解除ボタン部６０について説明する。
【００２８】
集塵袋解除ボタン部６０は、係止部材６１、支持片６２及び弾性体６３等から構成されている。係止部材６１は略長方形状の平板であり、長手方向の一方端部には解除ボタン部６１ａとなる凸部が形成され、他方の端部には集塵袋１００の台紙１０１を係止する係止部６１ｂが形成されている。また、長手方向の両側部には支持軸６１ｃがそれぞれ形成されている。集塵ボックス本体部２２の前面部には、塵漏れ防止シャッター部４０の上方に開口部２２ｄが形成されており、この開口部２２ｄの両側部には集塵ボックス本体部２２の前面側に突出した支持片６２が設けられている。
【００２９】
各支持片６２には孔６２ａが形成されており、この孔６２ａに支持軸６１ｃが挿入されて、係止部材６１は回転自在に設けられている。このとき、係止部材６１は、解除ボタン部６１ａが集塵ボックス本体部２２の前面側に突出し、係止部６２ｂが開口部２２ｄを介して集塵ボックス本体部２２の後面側に突出した状態となっている。また、係止部材６１には弾性体６３が取り付けられており、この弾性体６３によって係止部材６１は、台紙を係止する姿勢（図１８及び図１９に示す姿勢）に付勢されている。
【００３０】
また、係止部材６１には、解除ボタン部６１ａの下方（解除ボタン部６１ａの反対面）に突起６１ｄが設けられている。後述するように、集塵ボックス２１から集塵袋１００を取り付け、取り外しする際は解除ボタン部６１ａを押しておこなう。しかしながら、図８及び図１７に示すように、塵漏れ防止シャッター部４０が集塵ボックス吸込口２５を開いた状態では、解除ボタン部６１ａを押しても塵漏れ防止シャッター４１と突起６１ｄが干渉し、集塵ボックス２１から集塵袋１００を取り外せない構成となっている。
【００３１】
次に、集塵ボックス２１への集塵袋１００の取り付け、取り外し工程、及び集塵室２０への集塵ボックス２１の収容工程について説明する。
【００３２】
集塵ボックス２１内に集塵袋１００を取り付けるには、まず、集塵ボックス２１の開閉ボタンを押して集塵ボックス蓋部２３を開き、集塵袋解除ボタン部６０の解除ボタン部６１ａを押す。解除ボタン部６１ａを押すことで、係止部材６１は支持軸６１ｃを中心に回転し、係止部６１ｂが上方に持ち上がる。その後、集塵ボックス本体部２２内部の下面前方に形成された凹部２２ｅ（図１８）に集塵袋１００の台紙１０１の下部を係合する。解除ボタン部６１ａを離すことにより、台紙１０１の上部は係止部６１ｂに係止され、集塵袋１００を集塵ボックス内に取り付ける（図１８）。このとき、台紙１０１の開口部は集塵ボックス吸込口２５と対向する位置となっている。また、塵漏れ防止シャッターストッパー部５０の舌片５１ｂは、集塵ボックス本体部２２の前面内壁と集塵袋１００の台紙１０１との間に挟持されている。最後に集塵ボックス蓋部２３を閉じる。
【００３３】
集塵袋１００内に塵埃が溜まり、集塵ボックス２１内から集塵袋１００を取り外すには、まず、集塵ボックス２１の開閉ボタンを押して集塵ボックス蓋部２３を開く。集塵袋解除ボタン部６０の解除ボタン部６１ａを押して集塵袋１００を取り外す。このとき、塵漏れ防止シャッターストッパー部５０の舌片５１ｂが集塵袋１００を外す方向に付勢されているので、舌片５１ｂが台紙１０１を押し出し、容易に集塵袋１００を取り外すことができる。
【００３４】
図２０は、本発明の実施の形態に係る掃除機本体１の上蓋５を取り外した状態の斜視図である。また、図２１〜図２４は、この掃除機本体１の上ケース３を取り外した状態の正面図であり、集塵室２０への集塵ボックス２１の収容工程を示す工程図である。
図２０に示すように、集塵室２０の前面部には、塵漏れ防止シャッター４１を案内するシャッター案内部４３が設けられている。シャッター案内部の上面部には凸部４３ａが設けられている。
【００３５】
図２１に示すように、塵漏れ防止シャッター４１には略中央部に、塵漏れ防止シャッター４１が集塵ボックス吸込口２５を閉塞している状態において縦方向に延びるリブ４１ｂが設けられている。このリブ４１ｂの両端部と連なるように、塵漏れ防止シャッター４１の右周縁部にはリブ４１ｃが設けられている。また、これらリブ４１ｂ及びリブ４１ｃと連なるように、リブ４１ｂの中央部よりわずかに下方から右斜め下方向に延びるリブ４１ｄが設けられている。このリブ４１ｄの高さは、リブ４１ｂやリブ４１ｃよりも高くなっている。
【００３６】
集塵室２０へ集塵ボックス２１の挿入を開始すると、シャッター案内部４３の凸部４３ａが塵漏れ防止シャッター４１のリブ４１ｄに当接する。このまま、集塵ボックス２１の挿入を進めると、図２２に示すように、リブ４１ｄが凸部４３ａの上端を摺動しながら、塵漏れ防止シャッター４１は集塵ボックス吸込口２５を開き始める。
【００３７】
さらに集塵ボックス２１の挿入を進めると、図２３に示すように、塵漏れ防止シャッター４１は集塵ボックス吸込口２５を開き続け、塵漏れ防止シャッター４１のリブ４１ｂとリブ４１ｃの接合部がシャッター案内部４３の上面部に当接する。このとき、集塵ボックス２１内に集塵袋１００が装着されていなければ、上述したように、塵漏れ防止シャッターストッパー部５０の突片５３ｂが塵漏れ防止シャッター４１の可動範囲内に配置されているので、塵漏れ防止シャッター４１は集塵ボックス吸込口２５を開ききれない。つまり、集塵室２０へ集塵ボックス２１を収容できず、早期の段階で集塵ボックス２１内への集塵袋１００の装着忘れに気付くことができる。
【００３８】
さらに集塵ボックス２１の挿入を進めると、リブ４１ｂとリブ４１ｃの接合部がシャッター案内部４３の上面部を摺動しながら、塵漏れ防止シャッター４１は集塵ボックス吸込口２５を開く。そして、図２４に示すように、塵漏れ防止シャッター４１が集塵ボックス吸込口２５を完全に開いて、集塵ボックス２１は集塵室２０に収容される。集塵ボックス２１が集塵室２０に収容された状態においては、本体吸込口８に設けられたパッキン（図示せず）及び電動送風機吸込口７１に設けられたパッキン（図示せず）によって、本体吸込口８と集塵ボックス吸込口２５との間、及び集塵ボックス排気口２７と電動送風機吸込口７１との間はそれぞれ気密性が保たれている。つまり、本体吸込口８、集塵ボックス２１及び電動送風機室７０が気密性を有する一連の風路を形成していることとなる。また、集塵ボックス２１が集塵室２０に収容された状態においては、塵漏れ防止シャッター４１が集塵ボックス吸込口２５を完全に開いているので、上述のように解除ボタン部６１ａを押しても塵漏れ防止シャッター４１と突起６１ｄが干渉し、集塵ボックス２１内から集塵袋１００を取り外すことができない。
【００３９】
図２５は、本発明の実施の形態に係る掃除機本体１の横断面図である。図２６は、この集塵ボックス２１の背面縦断面図である。また、図２７は、この掃除機本体１内の集塵室２０に収容された集塵ボックス２１の横断面図である。これらの図を用いて、掃除機本体１内及び集塵ボックス２１内の空気流れについて説明する。
【００４０】
掃除をするために、使用者が電動送風機７２を駆動し吸気風を発生させると、この吸気風により吸入口本体９５、延長管９４及びホース９１を介して例えば床面の塵埃を掃除機本体１内に吸引する。図２５に示すように、この塵埃を含む空気は本体吸込口８から掃除機本体１内に吸引される。本体吸込口８を通過した空気は、集塵ボックス吸込口２５を介して集塵ボックス２１内に装着された集塵袋１００（図２５に示す２点鎖線）に流れ込む。集塵袋１００に流れ込んだ空気は、集塵袋１００を通過する過程で塵埃が捕集され、集塵ボックス排気口２７から排気される。この排気された空気は、電動送風機吸込口７１、電動送風機７２及び本体排気口１４を順次通り、掃除機本体１の外部に排気される。
【００４１】
集塵ボックス２１内の空気流れに注目すると、掃除開始直後の空気は、通風抵抗の最も小さい集塵ボックス吸込口２５から集塵ボックス排気口２７へ直接流れる風路を通る。その後、集塵袋の集塵ボックス排気口２７と対向する領域へ塵埃が溜まってくると、空気は通風抵抗の少ない箇所、つまり集塵ボックス２１内の側面部、上面部または下面部を通って集塵ボックス排気口２７へ流れようとする。このとき、集塵袋１００が集塵ボックス２１の内壁に密着してしまうと空気が流れなくなり、電気掃除機の吸引力が低下する。
【００４２】
しかしながら、本実施の形態においては集塵ボックス２１の内壁に設けられた突条３０及びリブ３１によって、図２６及び図２７に示すように、集塵ボックス２１内の側面部及び下面部から集塵ボックス排気口２７へ空気が流れる風路（以下バイパス風路１１０という）が確保され、電気掃除機の吸引力の低下が防止されている。
【００４３】
つまり、集塵ボックス本体部２２内壁の前面部から側面部には突条３０が設けられているので、この突条３０によって集塵袋１００が集塵ボックス本体部２２の内壁に密着することを防止している。また、突条３０は複数設けられているので、突条３０が集塵袋１００に当接する箇所にかかる負荷が分散され、集塵袋１００の破損も防止している。そして、この集塵ボックス本体部２２内壁の前面部から両側面部へかけて設けられた突条３０、及び集塵袋１００によって形成された空間がバイパス風路１１０ａとなっている。集塵ボックス本体部２２内壁の下面部にはリブ３１ａが設けられているので、このリブ３１ａによって集塵袋１００が集塵ボックス本体部２２の内壁に密着することを防止している。また、リブ３１ａは複数設けられているので、リブ３１ａが集塵袋１００に当接する箇所にかかる負荷が分散され、集塵袋１００の破損も防止している。そして、この集塵ボックス本体部２２内壁、集塵ボックス本体部２２内壁の下面部に設けられたリブ３１ａ、及び集塵袋１００によって形成された空間がバイパス風路１１０ｂとなっている。
【００４４】
集塵ボックス蓋部２３後面部の凹部２６以外の内壁にはリブ３１ｂが設けられているので、このリブ３１ｂによって集塵袋１００が集塵ボックス蓋部２３後面部の凹部２６以外の内壁に密着することを防止している。また、リブ３１ｂは複数設けられているので、リブ３１ｂが集塵袋１００に当接する箇所にかかる負荷が分散され、集塵袋１００の破損も防止している。そして、この集塵ボックス蓋部２３後面部の凹部２６以外の内壁、集塵ボックス蓋部２３後面部の凹部２６以外の内壁に設けられたリブ３１ｂ、及び集塵袋１００によって形成された空間がバイパス風路１１０ｃとなっている。また、集塵ボックス蓋部２３後面部の凹部２６に設けられたフィルターカバー２８ａのリブ２８ｂも同様に、集塵袋１００が集塵ボックス蓋部２３後面部の凹部２６の内壁に密着することを防止し、バイパス風路を形成している。
【００４５】
集塵ボックス２１内の側面部へ流れた空気はバイパス風路１００ａを通って、バイパス風路１００ｃへ流れる。集塵ボックス２１内の下面部へ流れた空気はバイパス風路１００ｂを通って、バイパス風路１００ｃへ流れる。バイパス風路１００ｃへ流入した空気の一部は、リブ３１ｂ及びリブ２８ｂに沿って流れ、集塵ボックス排気口２７から排気される。バイパス風路１００ｃへ流入した空気の他の一部は、より通風抵抗の少ない風路を通るために、リブ３１ｂに設けられた切り欠き３１ｃを通って上方向や下方向に流れた後、リブ３１ｂ及びリブ２８ｂに沿って流れ、集塵ボックス排気口２７から排気される。
【００４６】
なお、本実施の形態においては、突条３０、リブ３１ａ、及びリブ３１ｂは、それぞれ複数設けられているが、１つのみでも本発明を実施することは可能である。また、本実施の形態においては、集塵袋１００の破損防止のため突条３０、リブ３１ａ、及びリブ３１ｂはそれぞれ複数設けられており、隣接する突条３０の間隔、隣接するリブ３１ａの間隔、及び隣接するリブ３１ｂの間隔がそれぞれ約３０ｍｍとなっているが、この間隔は集塵袋１００の破損防止や通風抵抗を考慮すると１０ｍｍ〜５０ｍｍがよい。また、本実施の形態においては、集塵ボックスの上面部に突条３０やリブ３１が設けられていないが、集塵ボックスの上面部に突条３０やリブ３１を設けてももちろんよい。また、本実施の形態においては、１つのリブ３１ｂに１つの切り欠き３１ｃを設けたが、１つのリブ３１ｂに複数の切り欠き３１ｃを設けてもよい。切り欠き３１ｃのかわりに、例えばリブ３１ｂに開口部を設けてもよい。
【００４７】
本実施の形態においては、リブ３１ｂにのみ切り欠き３１ｃを設けたが、その他のリブに切り欠き３１ｃを設けてもよい。突条３０に凹欠部を設けてもよい。例えば図２８に示すように、集塵ボックス本体部２２内壁の下面部に設けられたリブ３１ａにも切り欠き３１ｃを設けてもよい。集塵ボックス２１内の下面部を流れる空気は、より通風抵抗の少ない風路を通るために、リブ３１ａに設けられた切り欠き３１ｃを通って右方向や左方向に流れることができ、電気掃除機の吸引力の低下がより防止できる。
【００４８】
また、隣接するリブ３１に設けられた切り欠き３１ｃの位置が互い違いになるように、リブ３１に切り欠き３１ｃを設けてもよい。例えば図２９に示すように、集塵ボックス本体部２２内壁の下面部に設けられたリブ３１ａに、隣接するリブ３１ａに設けられた切り欠き３１ｃの位置が互い違いになるように、リブ３１ａに切り欠き３１ｃを設けてもよい。隣接する切り欠き３１ｃを通り流れてきたそれぞれの空気がぶつかり合うことがなくなり、通風抵抗が減少するので、電気掃除機の吸引力の低下をさらに防止できる。
【００４９】
このように構成された電気掃除機においては、集塵袋１００を気密性を有する集塵ボックス２１内に設け、本体吸込口８、集塵ボックス２１及び電動送風機室７０を気密性を有する一連の風路に形成したので、集塵室２０が汚れることのない電気掃除機を得ることができる。また、集塵ボックス２１は着脱自在に集塵室２０内に設けられているので、集塵ボックス２１内が塵埃等で汚れてしまった場合でも集塵ボックス２１を容易に洗浄できる。
【００５０】
集塵ボックス２１の内壁に突条３０及びリブ３１が設けられているので、集塵ボックス２１内で集塵袋が膨張しても吸気風の風路が確保でき、集塵袋１００を気密性のある集塵ボックス２１内に装着したときに懸念される吸引力の低下を防止することができる。また、吸引力が低下しないので、吸気風により集塵袋１００内の塵埃等を圧縮することができ、集塵容量を向上させることができる。
【００５１】
集塵ボックス２１の内壁に設けられた突条３０及びリブ３１（リブ３１ａ及びリブ３１ｂ）は集塵ボックス２１の補強部材としての機能も果たす。したがって、集塵袋１００内が塵埃で満杯になった場合等により集塵ボックス２１内が高真空にたったときでも、集塵ボックス２１の変形を防止し、集塵ボックス本体部２２と集塵ボックス蓋部２３との間、本体吸込口８と集塵ボックス吸込口２５との間、及び集塵ボックス排気口２７と電動送風機吸込口７１との間の気密性を保つことができ、集塵室２０内へ塵埃が漏れ出すことを防止できる。
【００５２】
また、突条３０及びリブ３１が１つの面に複数設けられているので、突条３０及びリブ３１が集塵袋１００に当接する箇所にかかる負荷が分散され、集塵袋１００の破損を防止することができる。
【００５３】
リブ３１（リブ３１ｂ）に切り欠き３１ｃが設けられているので、空気は切り欠き３１ｃを通りより通風抵抗の小さな風路を流れることができ、電気掃除機の吸引力の低下をより防止できる。また、隣接するリブ３１（リブ３１ａ）に設けられた切り欠き３１ｃの位置が互い違いになるように設けることで、電気掃除機の吸引力の低下をさらに防止できる。また、例えば１つのリブ３１に複数の切り欠き３１ｃを設けることでも、効果的に電気掃除機の吸引力の低下を防止できる。
【００５４】
集塵ボックス蓋部２３後面部に電動送風機吸込口７１の直径よりも若干広い凹部２６が縦方向に設けられているので、この凹部２６が集塵ボックス２１を集塵室２０内に収容する際のガイドの機能を果たし、本体吸込口８と集塵ボックス吸込口２５との位置決め、及び集塵ボックス排気口２７との位置決めを容易にすることができる。また、集塵ボックス蓋部２３後面部の凹部２６以外の箇所にリブ３１ｂが設けられているので、この箇所がバイパス風路となり、電気掃除機の吸引力の低下を防止できる。また、この凹部２６により、集塵ボックス２１の強度が増し、集塵袋１００内が塵埃で満杯になった場合等により集塵ボックス２１内が高真空になったときでも、集塵ボックス２１の変形を防止し、集塵ボックス本体部２２と集塵ボックス蓋部２３との間、本体吸込口８と集塵ボックス吸込口２５との間、及び集塵ボックス排気口２７と電動送風機吸込口７１との間の気密性を保つことができ、集塵室２０内へ塵埃が漏れ出すことを防止できる。
【００５５】
集塵ボックス２１内に集塵袋１００が装着されていない状態においては、塵漏れ防止シャッターストッパー部５０の突片５３ｂは塵漏れ防止シャッター４１の可動範囲内に配置されているので、塵漏れ防止シャッター４１は集塵ボックス吸込口２５を開ききれず、つまり、集塵室２０へ集塵ボックス２１を収容できず、早期の段階で集塵ボックス２１内への集塵袋１００の装着忘れに気付くことができる。このため、集塵ボックス２１内への集塵袋１００の装着を忘れることがなく、常に安心して安全かつ清潔に電気掃除機を使用することができる。
【００５６】
また、塵漏れ防止シャッターストッパー部５０の舌片５１ｂが集塵袋１００を外す方向に付勢されているので、舌片５１ｂが台紙１０１を押し出し、容易に集塵袋１００を取り外すことができる。つまり、集塵袋１００の離脱性が著しく向上するので、集塵袋１００の捨て操作が円滑となり、確実に集塵袋を捨てることができる。
【００５７】
集塵ボックス２１が集塵室２０に収容された状態においては、解除ボタン部６１ａを押しても塵漏れ防止シャッター４１と突起６１ｄが干渉し、集塵ボックス２１内から集塵袋１００を取り外すことができないので、子供のいたずらや誤操作によって集塵ボックス２１内から集塵袋１００が外れることがなく安心して掃除機を使用することができる。また、この効果が店頭展示等に優れた効果を発揮する。
【図面の簡単な説明】
【００５８】
【図１】本発明の実施の形態に係る電気掃除機の全体構成を示す斜視図である。
【図２】本発明の実施の形態に係る電気掃除機の掃除機本体１の斜視図である。
【図３】図２の上蓋５が閉じた状態の側面図である。
【図４】図２の上蓋５が開いた状態の側面図である。
【図５】図３の縦断面図である。
【図６】図４の集塵ボックス２１が集塵室２０に収容されていない状態の斜視図である。
【図７】図５のＡ−Ａ断面図である。
【図８】本発明の実施の形態に係る集塵ボックス２１の集塵ボックス蓋部２３が閉じられた状態の前面側斜視図である。
【図９】本発明の実施の形態に係る集塵ボックス２１の集塵ボックス蓋部２３が閉じられた状態の後面側斜視図である。
【図１０】本発明の実施の形態に係る集塵ボックス２１の集塵ボックス蓋部２３が開かれた状態の後面側斜視図である。
【図１１】本発明の実施の形態に係る塵漏れ防止シャッターストッパー部５０の要部分解斜視図である。
【図１２】本発明の実施の形態に係る塵漏れ防止シャッターストッパー部５０の要部拡大図であり、（ａ）は正面図、（ｂ）は右側面図である。
【図１３】本発明の実施の形態に係る集塵ボックス蓋部２３が開かれた状態の後面側斜視図である。
【図１４】図１３の縦断面図である。
【図１５】本発明の実施の形態に係る集塵ボックス２１の集塵袋１００が装着されていない状態の正面図である。
【図１６】図１５の右側面図である。
【図１７】本発明の実施の形態に係る集塵袋解除ボタン部６０の要部拡大図である。
【図１８】本発明の実施の形態に係る集塵袋解除ボタン部６０の左側面断面図である。
【図１９】本発明の実施の形態に係る集塵袋解除ボタン部６０の背面図である。
【図２０】本発明の実施の形態に係る掃除機本体１の上蓋５を取り外した状態の斜視図である。
【図２１】集塵室２０への集塵ボックス２１の収容工程を示す工程図である。
【図２２】集塵室２０への集塵ボックス２１の収容工程を示す工程図である。
【図２３】集塵室２０への集塵ボックス２１の収容工程を示す工程図である。
【図２４】集塵室２０への集塵ボックス２１の収容工程を示す工程図である。
【図２５】本発明の実施の形態に係る掃除機本体１の横断面図である。
【図２６】本発明の実施の形態に係る集塵ボックス２１の背面縦断面図である。
【図２７】本発明の実施の形態に係る集塵ボックス２１の横断面図である。
【図２８】リブ３１ａに切り欠きを設けた場合の集塵ボックス２１の斜視図である。
【図２９】リブ３１ａに切り欠きを互い違いに設けた場合の集塵ボックス２１の斜視図である。
【符号の説明】
【００５９】
１  掃除機本体、２  本体部、３  上ケース、４  下ケース、５  上蓋、７  ボタン、８  本体吸込口、１０  ハンドル部材、１１  ホース接続口、１２  ハンドル、１３  延設部、１４  本体排気口、１５  コード、１６  車輪、１７  隔壁、２０  集塵室、２１  集塵ボックス、２２  集塵ボックス本体部、２２ａ  凹部、２２ｂ  平面部、２２ｃ  孔、２２ｄ  開口部、２２ｅ  凹部、２３  集塵ボックス蓋部、２４  ハンドル部、２４ａ  ヒンジ、２５  集塵ボックス吸込口、２６  凹部、２７  集塵ボックス排気口、２８  フィルター、２８ａ  フィルターカバー、２８ｂ  リブ、２９  ヒンジ、３０  突条、３１  リブ、３１ｃ  切り欠き、３２  開閉ボタン、４０  塵漏れ防止シャッター部、４１  塵漏れ防止シャッター、４１ａ  舌片、４１ｂ  リブ、４１ｃ  リブ、４１ｄ  リブ、４２  塵漏れ防止シャッター用ヒンジ、４３  シャッター案内部、４３ａ  凸部、５０  塵漏れ防止シャッターストッパー部、５１  台紙受けレバー、５１ａ  平板部、５１ｂ  舌片、５１ｃ  軸、５２  スペーサ、５２ａ  凸部、５２ｂ  孔、５３  塵漏れ防止シャッターストッパー、５３ａ  平板部、５３ｂ  突片、５３ｃ  孔、５４  バネ、６０  集塵袋解除ボタン部、６１  係止部材、６１ａ  解除ボタン部、６１ｂ  係止部、６１ｃ  支持軸、６１ｄ  突起、６２  支持片、６３  弾性体、７０  電動送風機室、７１  電動送風機吸込口、７２  電動送風機、７３  上カバー、８０  コードリール、９１  ホース、９２  手元操作スイッチ、９３  手元グリップ、９４  延長管、９５  吸込口本体、１００  集塵袋、１０１  台紙、１１０  バイパス風路。
【図１】
0004812714.tif 000002
【図２】
0004812714.tif 000003
【図３】
0004812714.tif 000004
【図４】
0004812714.tif 000005
【図５】
0004812714.tif 000006
【図６】
0004812714.tif 000007
【図７】
0004812714.tif 000008
【図８】
0004812714.tif 000009
【図９】
0004812714.tif 000010
【図１０】
0004812714.tif 000011
【図１１】
0004812714.tif 000012
【図１２】
0004812714.tif 000013
【図１３】
0004812714.tif 000014
【図１４】
0004812714.tif 000015
【図１５】
0004812714.tif 000016
【図１６】
0004812714.tif 000017
【図１７】
0004812714.tif 000018
【図１８】
0004812714.tif 000019
【図１９】
0004812714.tif 000020
【図２０】
0004812714.tif 000021
【図２１】
0004812714.tif 000022
【図２２】
0004812714.tif 000023
【図２３】
0004812714.tif 000024
【図２４】
0004812714.tif 000025
【図２５】
0004812714.tif 000026
【図２６】
0004812714.tif 000027
【図２７】
0004812714.tif 000028
【図２８】
0004812714.tif 000029
【図２９】
0004812714.tif 000030